(57)【特許請求の範囲】
【請求項１】
盛土表層を構成する所定高さの鉛直擁壁を構築する工程と、擁壁背面に所定間隔をおいてセメント安定処理土からなる盛土を施工するとともに、前記擁壁に向けて盛土内に第一のアンカー筋を水平に埋設する工程と、該第一のアンカー筋の盛土層からの突出端と前記擁壁背面に接続され盛土側に向けて突出する第二のアンカー筋とをジョイントする工程と、前記盛土の養生後に前記盛土と擁壁背面との間に形成された隙間をセメント安定処理土からなる盛土により埋め戻す工程とを所定高さに至るまで繰返す鉛直盛土工法に用いられる擁壁であって、
前記擁壁は、中央を前記盛土側に向けてアーチ状に湾曲膨出させた土留板と、横方向に隣合う土留板の端部に配置されて土留板を抑える抑え鋼材とからなり、前記第二のアンカー筋の擁壁接続端を前記抑え鋼材に締結することで、該抑え鋼材を介して隣合う土留板間を連結するとともに、土留板を自立状態に保持するものであり、
前記抑え鋼材は土留板端部に配置される断面Ｔ字形ないしはＬ字形を二つ合わせてＴ字形としたウェブ及びフランジを有する鋼材であって、この抑え鋼材のウェブに開口された連結孔に前記第二のアンカー筋端部に形成されたフックボルト部を通し、ナットを締結するものであり、
前記抑え鋼材は、前記土留板の端部が前記ウェブと前記フランジの付け根位置に配置されることで前記土留板を抑えることを特徴とする鉛直盛土工法用擁壁。
【請求項２】
前記土留板は高靱性セメントボードから構成されていることを特徴とする請求項１に記載の鉛直盛土工法用擁壁。
【請求項３】
上下の土留板の中央部背面にまたがって平板状の連結プレートを配置し、両土留板および連結プレートに開口された連結孔にボルトを挿通し、ナットで締結することで、上下の土留板同士を連結するものであることを特徴とする請求項１又は２に記載の鉛直盛土工法用擁壁。
【発明の詳細な説明】
【０００１】
【発明の属する技術分野】
本発明は、鉛直盛土工法に用いられる擁壁に関する。
【０００２】
【従来の技術】
擁壁を用いた鉛直盛土工法の一つに、テールアルメ工法や、多数アンカー式補強土壁工法がある。これらの工法は、予め構築された擁壁の背面と地山との間に鉄筋などの複数のアンカー体を水平に配置し、これを覆った状態に盛土を施し、締め固める手順を下部から順に繰返すことにより、最終的に計画断面まで仕上げる工法である。
【０００３】
また、特願平１０−２５８５５号公報には、擁壁としてコンクリート製ブロック体を用い、このブロック体の組立てと背面における盛土の施工工程、および盛土とブロック体との間にソイルセメントなどの固化性盛土層を充填し、転圧する工程を下部から順に計画断面まで繰返すとともに、前記固化性盛土層内にブロックの背面に連結したアンカーを配置することで一体化を図った工法が開示されている。
【０００４】
【発明が解決しようとする課題】
しかしながら、前者の工法では、盛土材料が「粗粒の良質材」に限定され、「粘性土」等のような盛土材として不適とされている材料を用いた場合には、盛土体としての安定性確保が難かった。
また、後者の工法では、壁面の転圧時の安定上、壁材としてのブロックの一個当りの重量を重くしなければ、転圧時土圧により擁壁としての安定性に問題を生ずる。このため、設置などに際して揚重機等を必要とするため、取扱作業性が悪かった。
また、壁材を順次上に継足すために、親杭を必要とし、杭を継いで行くなどの手間がかかっていた。
【０００５】
本発明は以上の課題を解決するもので、その目的は、材厚が薄くても、盛土転圧時の土圧に対する耐久性が高く、自立安定性を得られるようにし、さらには建て込みに当っては親杭を不要とした鉛直盛土工法用擁壁を提供するものである。
【０００６】
【課題を解決するための手段】
前記目的を達成するため、本発明の擁壁は、盛土表層を構成する所定高さの鉛直擁壁を構築する工程と、擁壁背面に所定間隔をおいてセメント安定処理土からなる盛土を施工するとともに、前記擁壁に向けて盛土内に第一のアンカー筋を水平に埋設する工程と、該第一のアンカー筋の盛土層からの突出端と前記擁壁背面に接続され盛土側に向けて突出する第二のアンカー筋とをジョイントする工程と、前記盛土の養生後に前記盛土と擁壁背面との間に形成された隙間をセメント安定処理土からなる盛土により埋め戻す工程とを所定高さに至るまで繰返す鉛直盛土工法に用いられる擁壁であって、
前記擁壁は、中央を前記盛土側に向けてアーチ状に湾曲膨出させた土留板と、横方向に隣合う土留板の端部に配置されて土留板を抑える抑え鋼材とからなり、前記第二のアンカー筋の擁壁接続端を前記抑え鋼材に締結することで、該抑え鋼材を介して隣合う土留板間を連結するとともに、土留板を自立状態に保持するものであり、前記抑え鋼材は土留板端部に配置される断面Ｔ字形ないしはＬ字形を二つ合わせてＴ字形としたウェブ及びフランジを有する鋼材であって、この抑え鋼材のウェブに開口された連結孔に前記第二のアンカー筋端部に形成されたフックボルト部を通し、ナットを締結するものであり、前記抑え鋼材は、前記土留板の端部が前記ウェブと前記フランジの付け根位置に配置されることで前記土留板を抑えることを特徴とするものである。
【０００７】
したがって、本発明によれば、盛土転圧時の土圧によって発生する擁壁の曲げモーメントが平板に比べて非常に小さくなり、これにより擁壁の材厚を薄くすることができる。また、土留板を抑える前記抑え鋼材は土留板端部に配置される断面Ｔ字形ないしはＬ字形を二つ合わせてＴ字形としたウェブを有する鋼材であって、このアンカー鋼材のウェブに開口された連結孔に前記第二のアンカー筋端部に形成されたフックボルト部を通し、ナットを締結するものであることにより、土留板間の連結と同時に、アンカー筋に対する接合を同時に行うことができる。
【０００８】
また、本発明において、前記土留板は高靱性セメントボードから構成されていることにより、材料面からの耐久性も向上できる。
【００１０】
さらに、本発明では、上下の土留板の中央部背面にまたがって平板状の連結プレートを配置し、両土留板および連結プレートに開口された連結孔にボルトを挿通し、ナットで締結することで、上下の土留板同士を連結するものであることにより、上下の土留板間の結合も強固に行うことができ、これによって親杭が不要となり、親杭の建て込みや継ぎ作業の手間が省略できる。
【００１１】
【発明の実施の形態】
以下、本発明の好ましい実施の形態につき、添付図面を参照して詳細に説明する。図１、２は本実施形態にかかる擁壁およびその接合構造を示している。図において、擁壁１は、縦横に配列される複数の土留板２と、横方向にとなり合う土留板２間に介在されて土留板２を抑える抑え鋼材３と、縦方向に配列される土留板２同士を連結する連結プレート４とから構成されている。
【００１２】
土留板２は、高靱性セメントボードからなるプレキャスト成形体であって、一回分の盛土高さを考慮してその高さは実寸法で４５０mm、幅８８４mm、厚み９mmとしてあるとともに、その中央が幅方向両側から９３mm湾曲膨出したアーチ形湾曲形状となっており、この膨出部分を後述する盛土側に向けて配置することによって、土圧により発生する曲げモーメントを平板に比べて非常に小さくでき、その分厚みを小さくして面積を大きく取ることができるようにしている。
【００１３】
前記抑え鋼材３は、断面Ｌ字形をなす一対の鋼材をＴ字形に組合わせ、そのウェブ３ａの上下位置に開口された連結孔にボルト５を挿通し、ナット６により結合してＴ字形に組立てたものであって、各土留板２の端部をフランジ３ｂとウェブ３ａの付け根位置に配置することで、土留板２間を抑える鋼材となる。  そして、ウェブ３ａの中央には同じく連結孔が開口され、これにＬ字形に形成されたフックボルト部７を差し込み、反対側をナット６で連結している。
フックボルト部７は、第二のアンカー筋８の先端部をＬ字形に折曲げて形成したものである。
【００１４】
この第二のアンカー筋８の後端部はターンバックル９を介して後述する盛土側に水平状態に埋設された第一のアンカー筋１０の先端に緊結され、これによって、抑え鋼材３とともに各土留板２をその接合位置で自立状態に保持する。
【００１５】
また、各土留板２の中央部上下には連結孔が開口され、上部側土留板２を下部側土留板２上に設置した状態で連結プレート４を孔位置に合わせて配置し、ボルト５およびナット６により連結プレート４を上下の土留板２をまたがって固定することで、上下の土留板２間を連結するようになっている。
【００１６】
次に、以上の構成の擁壁１を用いた盛土の施工手順を図３、４を用いて説明する。まず、図３（ａ）に示すように、擁壁位置を所定量掘削し、砕石１１および基礎１２を設置し、その上に第一段目の擁壁１を設置する。このとき各土留板２は抑え鋼材３を介して横一列に配列しておき、また第二のアンカー筋８も抑え鋼材３に連結しておく。
【００１７】
以上の作業完了後、盛土作業を行う。盛土作業は、土留板２の高さの略半分の高さである２cm厚みに土砂を撒き出し、次いで敷き均しを行い、ローラで転圧締固めを行う。このとき、擁壁１に近い位置では盛土材料にセメントを混合した安定処理土１４を用い、これに引続く位置では一般土砂１５を用いる。安定処理土１４の盛土範囲は、第一のアンカー筋１０の長さ以上の範囲とする。また、安定処理土１４の先端部は擁壁１に接することがないように所定間隔離し、かつある程度の法勾配をもって盛土する。
【００１８】
次いで、（ｂ）に示すように、第一のアンカー筋１０を盛土上に水平設置し、その先端を前記ターンバックル９を介して第二のアンカー筋８に接続する。
【００１９】
その後は、（ｃ）に示すように第一段目の擁壁１と同じ高さまで、安定処理土１４および一般土砂１５の撒き出しと転圧締固めを行い、一日の作業を終了する。この状態で、各土留板２はアンカー筋８，１０により自立状態が保持される。
【００２０】
二日目は、（ｄ）に示すように、まず第二段目の擁壁１を第一段目の擁壁１上に設置し、前記連結プレート４を介して上下の擁壁１間を連結する。その後は、第一段目と同様に、例えば２５cm厚みで安定処理土１４および一般土砂１５の撒き出し、敷き均しおよび転圧締固めを行う。
【００２１】
このとき、安定処理土１４は第一段目の擁壁１の背面を埋設し、第二段目に対しては一段目施工時と同様に、所定距離離間すべく盛土作業を行う。これによって第一段目の擁壁１には土圧が加わるが、翌日までの養生期間で第一段目の安定処理土１４は固化し、かつアンカー筋８，９のアンカー効果によって第一段目の擁壁１は土圧に抗して自立性を保つ。
【００２２】
その後（ｅ）に示すように、第一段目と同じく第一のアンカー筋１０を盛土上に水平設置して第二のアンカー筋８に接続し、（ｆ）に示すごとく、残りの安定処理土１４および一般土砂１５の撒き出しと転圧締固めを行い、二日目の作業を終了する。
【００２３】
以後は同様な要領により計画高さまで擁壁１の設置および連結と、盛土作業およびアンカー筋８，１０の接続を繰返すことにより、図４に示すごとく擁壁１を盛土表層とする鉛直盛土を完成する。なお、図示の例では１０段まであるから、１０日間かけて高さ４m５０cmの鉛直盛土が造成されることになる。
【００２４】
以上の構成において、各土留板２に加わる土圧は、安定処理土中のセメントが固化するまでの期間であり、その大きさは盛土高さに関係なくほぼ一定となる。
なお、前記実施形態では、抑え鋼材３として断面Ｌ字形の鋼材を二つ合わせてＴ字形としたが、当初からＴ字形鋼材を使用すれば、締結用のボルトナットを省略できる。
【００２７】
【発明の効果】
以上の説明により明らかなように、本発明の鉛直盛土工法用擁壁によれば、材厚が薄くても転圧時の土圧に対する耐久性が高く、自立安定性を得られるようにし、さらには建て込みに当っては親杭を不要とすることができる。
【図面の簡単な説明】
【図１】  本発明の第一実施形態による擁壁およびその組立構造を示す分解斜視図である。
【図２】  （ａ），（ｂ）は同土留板の横方向接合位置における上下部、および中央部断面図である。
【図３】  （ａ）〜（ｆ）は同擁壁を用いた鉛直盛土工法の施工手順を示す説明用断面図である。
【図４】  同盛土の完成状態を示す説明用断面図である。
【符号の説明】
１  擁壁
２，２０  土留板
３  抑え鋼材
４  連結プレート
５  ボルト
６  ナット
７  フックボルト部
８  第二のアンカー筋
９  ターンバックル
１０  第一のアンカー筋
１４  安定処理土
１５  一般土砂
【図１】
0003918548.tif 000002
【図２】
0003918548.tif 000003
【図３】
0003918548.tif 000004
【図４】
0003918548.tif 000005